(57)【要約】【課題】建屋電源が停電状態になったとき比較的簡単に建屋発電電力を供給することができるようにした建屋電力供給方法および建屋電力供給装置を提供する。【解決手段】建屋電源７によって制御されるモータ２と、モータ２によって回転駆動される綱車１とを備えたエレベータ装置を有しており、モータ２と綱車１との間に機械的に切り離し可能に連結するカップリング装置３と、建屋電源７の停電時に使用する動力源１１とモータ２との間に機械的に切り離し可能に連結する他のカップリング装置１０と、建屋電源７の停電状態を検出したときカップリング装置３，１０の連結状態を切り替えてエレベータ装置に使用していたモータ２を含む発電回路を新たに形成すると共に動力源１１を制御する発電制御指令装置１２とを設けた。【選択図】図２
2015077004.tif 000002
【特許請求の範囲】
【請求項１】
建屋電源によって制御されるモータと、前記モータによって回転駆動される綱車とを備えたエレベータ装置を有した建屋電力供給方法において、
前記建屋電源の停電時に、前記モータを前記エレベータ装置から切り離し、切り離した前記モータを動力源に連結して発電回路を形成し、前記動力源を起動して回転させた前記モータで建屋発電電力を発電し、前記建屋発電電力を設備機器に供給することを特徴とする建屋電力供給方法。
【請求項２】
建屋電源によって制御されるモータと、前記モータによって回転駆動される綱車とを備えたエレベータ装置を有した建屋電力供給装置において、
前記モータと前記綱車との間に機械的に切り離し可能に連結するカップリング装置と、前記建屋電源の停電時に使用する動力源と前記モータとの間に機械的に切り離し可能に連結する他のカップリング装置と、前記建屋電源の停電状態を検出したとき前記カップリング装置と前記他のカップリング装置の連結状態を切り替えて前記モータを含む発電回路を形成すると共に前記動力源を制御する発電制御指令装置とを設けたことを特徴とする建屋電力供給装置。
【発明の詳細な説明】
【技術分野】
【０００１】
本発明は、建屋電源によって起動するエレベータ装置を有する建屋電力供給方法および建屋電力供給装置に関する。
【背景技術】
【０００２】
一般にエレベータ装置は、建屋電源によって制御されるモータと、このモータによって回転駆動される綱車とを備えており、綱車に巻き掛けた主ロープを介して乗りかごの昇降駆動を行っている。しかしながら、建屋電源が停電になるとモータを駆動することができなくなるため、エレベータ装置が運転休止状態となってしまう。このような状況で、特許文献１に示すような建屋内に別途発電設備や蓄電設備を設置している場合は、この発電設備や蓄電設備から建屋の照明設備などに電力を供給することが可能である。
【０００３】
（特許文献１参照）
【先行技術文献】
【特許文献】
【０００４】
【特許文献１】特開２０００−３１８９３９号公報
【発明の概要】
【発明が解決しようとする課題】
【０００５】
しかしながら、建屋内に別途発電設備や蓄電設備を設置していない場合は、建屋電源の停電時に建屋内照明等を使用することができなくなってしまう。これに対して、建屋内に発電設備や蓄電設備を新たに設置しようとすると、設置場所を確保できなかったり、かなり高額な設備費用をしなければならないという課題があった。
【０００６】
本発明の目的は、建屋電源が停電状態になったとき比較的簡単に建屋発電電力を供給することができるようにした建屋電力供給方法および建屋電力供給装置を提供することにある。
【課題を解決するための手段】
【０００７】
本発明は上記目的を達成するために、建屋電源によって制御されるモータと、前記モータによって回転駆動される綱車とを備えたエレベータ装置を有した建屋の建屋電力供給方法において、前記建屋電源の停電時に、前記モータを前記エレベータ装置から切り離し、切り離した前記モータを動力源に連結して発電回路を形成し、前記動力源を起動して回転させた前記モータで建屋発電電力を発電し、前記建屋発電電力を設備機器に供給することを特徴とする。
【０００８】
このような建屋電力供給方法によれば、建屋電源が停電状態になった時に運転停止状態となるエレベータ装置に着目し、このエレベータ装置からモータを分離し、このモータを利用して発電を行い、この建屋発電電力を設備機器に供給するようにしているため、停電時に同じ設備機器に電力を供給するために専用の発電設備の一式を設置しておく必要がなく、設備を有効に活用することができる。
【０００９】
また本発明は上記目的を達成するために、建屋電源によって制御されるモータと、前記モータによって回転駆動される綱車とを備えたエレベータ装置を有した建屋の建屋電力供給装置において、前記モータと前記綱車との間に機械的に切り離し可能に連結するカップリング装置と、前記建屋電源の停電時に使用する動力源と前記モータとの間に機械的に切り離し可能に連結する他のカップリング装置と、前記建屋電源の停電状態を検出したとき前記カップリング装置と前記他のカップリング装置の連結状態を切り替えて前記モータを含む発電回路を形成すると共に前記動力源を制御する発電制御指令装置とを設けたことを特徴とする。
【００１０】
このような建屋電力供給装置によれば、建屋電源の停電を検出したとき、カップリング装置によってモータと綱車とを切り離してエレベータ装置のモータを分離し、分離状態のモータに他のカップリング装置を用いて動力源を連結して発電回路を形成し、その後、動力源を起動してモータで発電した建屋発電電力を設備機器などに供給することができる。こうして、建屋電源が停電状態になった時に運転停止状態となるエレベータ装置に着目し、このエレベータ装置のモータを使用して簡単な構成で発電を行うことができる。
【発明の効果】
【００１１】
本発明の建屋電力供給方法によれば、建屋電力供給方法によれば、建屋電源が停電状態になった時に運転停止状態となるエレベータ装置に着目し、このエレベータ装置からモータを分離し、このモータを利用して発電を行い、この建屋発電電力を設備機器に供給するようにしているため、停電時に同じ設備機器に電力を供給するために専用の発電設備の一式を設置しておく必要がなく、設備を有効に活用することができる。
【００１２】
また本発明の建屋電力供給装置によれば、建屋電源の停電を検出したとき、カップリング装置によってモータと綱車とを切り離してエレベータ装置のモータを分離し、分離状態のモータに他のカップリング装置を用いて動力源を連結して発電回路を形成し、その後、動力源を起動してモータで発電した建屋発電電力を設備機器などに供給することができる。こうして、建屋電源が停電状態になった時に運転停止状態となるエレベータ装置に着目し、このエレベータ装置のモータを使用して簡単な構成で発電を行うことができる。
【図面の簡単な説明】
【００１３】
【図１】本発明の一実施の形態による建屋電力供給方法を示すフローチャートである。
【図２】本発明の一実施の形態による建屋電力供給装置の平常状態を示す概略構成図である。
【図３】図１に示した建屋電力供給装置の停電状態を示す概略構成図である。
【発明を実施するための形態】
【００１４】
以下、本発明の実施の形態を図面に基づいて説明する。
【００１５】
一般に、エレベータ装置を備えた建屋においては、エレベータ装置を構成する要素として、建屋電源によって制御されるモータと、このモータによって回転駆動される綱車とを備えており、綱車に巻き掛けた主ロープを介して乗りかごの昇降駆動を行っている。このエレベータ装置は、建屋電源が停電状態となると、運転停止状態となる。
【００１６】
このようなエレベータ装置の構成上の特徴を活用した本発明による建屋電力供給方法を図１のフローチャートで説明する。先ず、ステップＳ１で建屋電源が停電状態になったかどうかを監視している。建屋電源が停電状態になったことを検出すると、ステップＳ２でモータをエレベータ装置から切り離し、ステップＳ３で分離したモータを発電用の動力源に接続する。次いで、ステップＳ４でモータと動力源を含む発電回路を形成する。
【００１７】
その後、ステップＳ５で動力源を起動し、モータを回転駆動してモータによる発電を開始する。ステップＳ６では発電した電力の電圧や周波数が使用可能な値に安定したかどうかを判定し、安定状態になっていれば、ステップＳ７で予め定めた設備機器に発電した建屋発電電力を供給する。
【００１８】
その後、ステップＳ８で建屋電源が回復するなど発電を停止する条件になったかどうかを判定し、発電停止条件になったとき、ステップＳ９で動力源を停止させ、モータをエレベータ装置に復帰させる。
【００１９】
このような建屋電力供給方法によれば、建屋電源が停電状態になった時に運転停止状態となるエレベータ装置に着目し、このエレベータ装置からモータを分離し、このモータを利用して発電を行い、この建屋発電電力を設備機器に供給するようにしているため、停電時に同じ設備機器に電力を供給するために専用の発電設備の一式を設置しておく必要がなく、設備を有効に活用することができる。
【００２０】
次に、上述した建屋電力供給方法を実際に実現するための建屋電力供給について説明する。
【００２１】
図２および図３は、本発明の一実施の形態によるエレベータ装置を有する建屋電力供給装置の定常状態および停電状態を示す概略構成図である。
【００２２】
エレベータ装置は、綱車１と、この綱車１を回転駆動するモータ２と、綱車１とモータ２との間の回転軸の機械的連結を断続するカップリング装置３と、綱車１に巻き掛けた主ロープ４を介して図示しない昇降路内を互いに逆方向に昇降移動する乗りかご５および釣合おもり６と、建屋電源７によって作動してエレベータ装置を制御し、特に接続切り替え手段８を介してモータ２に制御信号を与えるエレベータ制御装置９とを有している。
【００２３】
モータ２の回転軸には、機械的連結を断続する他のカップリング装置１０を介してエンジン等の動力源１１が連結されている。また、建屋電源７の状態によって各部を制御する発電制御指令装置１２が設けられている。この発電制御指令装置１２は、カップリング装置３、切り替え手段８、カップリング装置１０および動力源１１を制御する各部状態制御手段と、建屋電源７からの信号を取り込んで電力が供給されている状態と停電している状態とを区別して検出する建屋電力状態検出手段と、モータ２によって発電された建屋発電電力１３の電圧や周波数が建屋内施設で使用可能な一定値になったかどうかを判定する安定状態判定手段と、条件を満たしたときに建屋発電電力１３を出力する出力手段とを有している。
【００２４】
発電制御指令装置１２の建屋電力状態検出手段が建屋電源７が供給されている正常状態を検出すると、発電制御指令装置１２の各部状態制御手段は、切り替え手段８をモータ２とエレベータ制御装置９とが接続される側に切り替え、カップリング装置３を綱車１とモータ２との回転軸が連結された連結状態とし、カップリング装置１０をモータ２と動力源１１との回転軸が切り離された非連結状態とする。
【００２５】
このとき、エレベータ制御装置９はエレベータ装置、特に切り替え手段８を通してモータ２を制御している。建屋電源７が正常状態であれば、図２に示すようにエレベータ制御装置９は制御信号によってモータ６を制御し、その回転駆動力をカップリング装置３を介して綱車１に与え、綱車１に巻き掛けた主ロープ４を介して乗りかご３を昇降運転することができる。
【００２６】
しかし、建屋電源７が停電状態になると、建屋電源７を監視している発電制御指令装置１２の建屋電力状態検出手段は、この停電状態を検出する。すると、発電制御指令装置１２の各部状態制御手段は、モータ２と綱車１との間に設けられているカップリング装置３を切り離し、またモータ２と動力源１１との間に設けられているカップリング装置１０を連結状態にし、切り替え手段８を切り替えてモータ２と発電制御指令装置１２とを接続する側へと切り替えて、図３の状態となる。このとき、綱車２は図示しないブレーキ装置によって回転を阻止されるため、乗りかご５および釣合いおもり６が移動することはない。
【００２７】
次に、発電制御指令装置１２の各部状態制御手段は、動力源１１に対して起動指示を与えて動力源１１を起動させる。動力源１１が起動すると、カップリング装置１０が連結状態となっているためモータ２は動力源１１によって駆動されて発電を開始する。
【００２８】
次いで、発電制御指令装置１２の安定状態判定手段は、モータ２が発電した電力の電圧や周波数が建屋内設備機器で使用可能な一定値になったかどうかを判定し、一定値以上になったとき、発電制御指令装置１２の出力手段は、予め定めた緊急性や公共性の高い建屋内設備機器などに対して建屋発電電力１３を供給する。
【００２９】
その後、建屋電源が回復するなどして発電を停止する条件となったとき、発電制御指令装置１２の建屋電力状態検出手段がこれを検出すると、発電制御指令装置１２の各部状態制御手段は、動力源１１を停止させ、図３に示すように切り替え手段８をモータ２とエレベータ制御装置９とが接続される側に切り替え、カップリング装置３を綱車１とモータ２との回転軸が連結された連結状態とし、カップリング装置１０をモータ２と動力源１１との回転軸が切り離された非連結状態とする。
【００３０】
このような建屋電力供給装置によれば、モータ２と綱車１との回転軸に分離可能なカップリング装置３を配置し、建屋電源７の停電を検出する発電制御指令装置１２を設け、この発電制御指令装置１２で建屋電源７の停電を検出したとき、カップリング装置３によってモータ２と綱車１との回転軸に切り離してエレベータ装置のモータ２を分離し、分離状態のモータ２にカップリング装置１０を用いて動力源１１を連結して発電回路を形成し、その後、動力源１１を起動してモータ２で発電した建屋発電電力１３を設備機器などに供給することができる。こうして、建屋電源が停電状態になった時に運転停止状態となるエレベータ装置に着目し、このエレベータ装置のモータを使用した発電を行うことができるという上述した建屋電力供給方法を実現することができる。
【００３１】
以上説明したように本発明は、建屋電源７によって制御されるモータ２と、前記モータ２によって回転駆動される綱車１とを備えたエレベータ装置を有した建屋電力供給方法において、前記建屋電源７の停電時に、前記モータ２を前記エレベータ装置から切り離し、切り離した前記モータ２を動力源１１に連結して発電回路を形成し、動力源１１を起動して回転させた前記モータ２で建屋発電電力１３を発電し、前記建屋発電電力１３を設備機器に供給することを特徴とする。
【００３２】
このような建屋電力供給方法によれば、建屋電源７が停電状態になった時に運転停止状態となるエレベータ装置に着目し、このエレベータ装置からモータ２を分離し、このモータ２を利用して発電を行い、この建屋発電電力１３を設備機器に供給するようにしているため、停電時に同じ設備機器に電力を供給するために専用の発電設備の一式を設置しておく必要がなく、設備を有効に活用することができる。
【００３３】
また本発明は、建屋電源７によって制御されるモータ２と、前記モータ２によって回転駆動される綱車１とを備えたエレベータ装置を有した建屋電力供給装置において、前記モータ２と前記綱車１との間に機械的に切り離し可能に連結するカップリング装置３と、前記建屋電源７の停電時に使用する動力源１１と前記モータ２との間に機械的に切り離し可能に連結する他のカップリング装置１０と、前記建屋電源７の停電状態を検出したとき前記カップリング装置３と前記他のカップリング装置１０の連結状態を切り替えて前記モータ２を含む発電回路を形成すると共に前記動力源１１を制御する発電制御指令装置１２とを設けたことを特徴とする。
【００３４】
このような建屋電力供給装置によれば、建屋電源７の停電を検出したとき、カップリング装置３によってモータ２と綱車１とを切り離してエレベータ装置のモータ２を分離し、分離状態のモータ２にカップリング装置１０を用いて動力源１１を連結して発電回路を形成し、その後、動力源１１を起動してモータ２で発電した建屋発電電力１３を設備機器などに供給することができる。こうして、建屋電源が停電状態になった時に運転停止状態となるエレベータ装置に着目し、このエレベータ装置のモータを使用して簡単な構成で発電を行うことができる。
【符号の説明】
【００３５】
１    綱車
２    モータ
３    カップリング装置
７    建屋電源
８    切り替え手段
１０  カップリング装置
１１  動力源
１２  発電制御指令装置
１３  建屋発電電力
【図１】
2015077004.tif 000003
【図２】
2015077004.tif 000004
【図３】
2015077004.tif 000005